(57)【要約】【課題】複数の端末装置を利用したシーンに関する収録を容易にする。【解決手段】収録の可否を複数のシーンについてそれぞれ示す複数の制御情報のうち、何れかのシーンの制御情報に応じて、当該シーンに関する収録の開始または停止を指示する指示情報を、第１端末装置１０Aが第２端末装置１０Bに送信し、第１端末装置１０Aから送信された指示情報に応じて、第２端末装置１０Bが前記シーンに関する収録を開始または停止する収録方法。【選択図】図１
2018157407.tif 000002
【特許請求の範囲】
【請求項１】
収録の可否を複数のシーンについてそれぞれ示す複数の制御情報のうち、何れかの前記シーンの制御情報に応じて、当該シーンに関する収録の開始または停止を指示する指示情報を、第１端末装置が第２端末装置に送信し、
前記第１端末装置から送信された前記指示情報に応じて、前記第２端末装置が前記シーンに関する収録を開始または停止する
収録方法。
【請求項２】
複数のシーンの何れかに関する収録の開始または停止を指示する指示情報を第１端末装置が第２端末装置に送信し、
収録の可否を前記複数のシーンについてそれぞれ示す複数の制御情報のうち、収録を開始または停止すべきシーンの制御情報が収録の許可を示す場合は、前記第１端末装置から送信された前記指示情報に応じて、前記第２端末装置が前記シーンに関する収録を開始または停止する
収録方法。
【請求項３】
前記第１端末装置は、当該第１端末装置に収録を開始または停止させるための操作を契機として、前記第２端末装置に前記指示情報を送信する
請求項１または請求項２の収録方法。
【請求項４】
収録条件を複数のシーンについてそれぞれ示す複数の収録情報のうち、収録を開始または停止すべきシーンの収録情報に応じて、前記第１端末装置および前記第２端末装置が収録をする
請求項３の収録方法。
【請求項５】
前記第１端末装置と前記第２端末装置とがそれぞれ収録した前記シーンに関する音または映像を表わす収録データをサーバ装置に送信する
請求項３または請求項４の収録方法。
【請求項６】
収録の可否を複数のシーンについてそれぞれ示す複数の制御情報のうち、何れかの前記シーンの制御情報に応じて、当該シーンに関する収録の開始または停止を指示する指示情報を生成する制御部と、
前記指示情報に応じて前記シーンに関する収録を開始または停止する他の端末装置に対して、前記制御部が生成した前記指示情報を送信する通信部と
を具備する端末装置。
【請求項７】
複数のシーンの何れかに関する収録の開始または停止を指示する指示情報を他の端末装置から受信する通信部と、
収録の可否を前記複数のシーンについてそれぞれ示す複数の制御情報のうち、収録を開始または停止すべきシーンの制御情報が収録の許可を示す場合は、当該指示情報に応じて前記シーンに関する収録を開始または停止する制御部と
を具備する端末装置。
【発明の詳細な説明】
【技術分野】
【０００１】
本発明は、端末装置を利用して収録する技術に関する。
【背景技術】
【０００２】
端末装置を利用して収録する技術が従来から提案されている。例えば特許文献１には、複数のシーンで構成されるコンテンツを生成するために、各シーンをビデオカメラで撮影する技術が開示されている。
【先行技術文献】
【特許文献】
【０００３】
【特許文献１】特開２００４−０３２２７７号公報
【発明の概要】
【発明が解決しようとする課題】
【０００４】
例えば特許文献１の技術により、複数の端末装置を利用して共通のシーンを撮影する場合、各端末装置に対してそれぞれ撮影の開始または停止を個別に指示しなければならず、作業が煩雑である。以上の事情を考慮して、本発明は、複数の端末装置を利用したシーンに関する収録を容易にすることを目的とする。
【課題を解決するための手段】
【０００５】
以上の課題を解決するために、本発明の第１態様に係る収録方法は、収録の可否を複数のシーンについてそれぞれ示す複数の制御情報のうち、何れかの前記シーンの制御情報に応じて、当該シーンに関する収録の開始または停止を指示する指示情報を、第１端末装置が第２端末装置に送信し、前記第１端末装置から送信された前記指示情報に応じて、前記第２端末装置が前記シーンに関する収録を開始または停止する。
【０００６】
本発明の第２態様に係る収録方法は、複数のシーンの何れかに関する収録の開始または停止を指示する指示情報を第１端末装置が第２端末装置に送信し、収録の可否を前記複数のシーンについてそれぞれ示す複数の制御情報のうち、収録を開始または停止すべきシーンの制御情報が収録の許可を示す場合は、前記第１端末装置から送信された前記指示情報に応じて、前記第２端末装置が前記シーンに関する収録を開始または停止する。
【０００７】
本発明の第１態様に係る端末装置は、収録の可否を複数のシーンについてそれぞれ示す複数の制御情報のうち、何れかの前記シーンの制御情報に応じて、当該シーンに関する収録の開始または停止を指示する指示情報を生成する制御部と、前記指示情報に応じて前記シーンに関する収録を開始または停止する他の端末装置に対して、前記制御部が生成した前記指示情報を送信する通信部とを具備する。
【０００８】
本発明の第２態様に係る端末装置は、複数のシーンの何れかに関する収録の開始または停止を指示する指示情報を他の端末装置から受信する通信部と、収録の可否を前記複数のシーンについてそれぞれ示す複数の制御情報のうち、収録を開始または停止すべきシーンの制御情報が収録の許可を示す場合は、当該指示情報に応じて前記シーンに関する収録を開始または停止する制御部とを具備する。
【図面の簡単な説明】
【０００９】
【図１】本発明の第１実施形態に係る収録データ処理システムの構成図である。
【図２】端末装置の構成図である。
【図３】テンプレートの説明図である。
【図４】端末選択画像の模式図である。
【図５】テンプレート選択画像の模式図である。
【図６】メイン端末で表示されるテンプレート画像の模式図である。
【図７】サブ端末で表示されるテンプレート画像の模式図である。
【図８】メイン端末とサブ端末との各々がシーン動画を収録する処理のフローチャートである。
【図９】受信データの説明図である。
【図１０】編集画像の模式図である。
【図１１】メイン端末のみで収録をしたシーン動画から生成された編集シーン動画の映像の模式図である。
【図１２】メイン端末およびサブ端末の双方で収録をしたシーン動画から生成された編集シーン動画の映像の模式図である。
【図１３】本発明の第２実施形態に係るメイン端末とサブ端末との各々がシーン動画を収録する処理のフローチャートである。
【図１４】テンプレートの説明図である。
【図１５】本発明の第３実施形態に係るメイン端末とサブ端末との各々がシーン動画を収録する処理のフローチャートである。
【発明を実施するための形態】
【００１０】
＜第１実施形態＞
図１は、本発明の第１実施態様に係る収録データ処理システム１の構成図である。収録データ処理システム１は、コンテンツを生成するためのコンピュータシステムである。第１実施形態では、音および映像の双方を含む動画をコンテンツとして生成する。具体的には、コンテンツは、複数のシーンにそれぞれ関する複数の動画の時系列で構成される。シーンとは、時間軸上で連続した一連の動作（例えば人または装置の動作）を表す場面である。
【００１１】
図１に例示される通り、収録データ処理システム１は、第１端末装置１０Aと第２端末装置１０Bと編集装置２０とを具備する。以下の説明において、第１端末装置１０Aと第２端末装置１０Bとを区別しないときは、添字を省略して単に「端末装置１０」と記載する。編集装置２０と各端末装置１０とは、移動体通信網またはインターネット等の通信網３０を介して通信可能である。また、第１端末装置１０Aと第２端末装置１０Bとは、例えばBluetooth（登録商標）またはＷi-Ｆi（登録商標）等の近距離無線通信を介して相互に通信可能である。なお、端末装置１０間の通信方式は任意である。例えば音響（音波）を伝送媒体とする音響通信を端末装置１０間の通信に利用することも可能である。
【００１２】
概略的には、各端末装置１０で収録された複数のシーンにそれぞれ関する複数の動画が各端末装置１０から編集装置２０に送信され、各端末装置１０から受信した複数の動画を編集装置２０で編集することでコンテンツが生成される。例えば企業が人材を採用するためのコンテンツ、または、企業の製品を紹介するためのコンテンツ等の各種テーマに応じたコンテンツが生成される。以下、シーンに関する動画を「シーン動画」と言う。第１実施形態では、共通のシーン動画を相異なる方向または画角（撮影倍率）で同時に撮影するために第１端末装置１０Aと第２端末装置１０Bとを利用する。各端末装置１０は、利用者Ｕによりメイン端末およびサブ端末の何れかに指定される。メイン端末は、コンテンツに含まれる全てのシーンのシーン動画を収録する一方で、サブ端末は、コンテンツに含まれる複数のシーンのうちの一部のシーンのシーン動画を収録する。第１実施形態では、第１端末装置１０Aがメイン端末に指定され、第２端末装置１０Bがサブ端末に指定される場合を想定する。
【００１３】
図２は、端末装置１０の構成図である。端末装置１０は、例えばスマートフォンまたはタブレット端末等の可搬型の情報端末であり、コンテンツの生成に利用される複数のシーン動画を収録する。具体的には、端末装置１０は、図２に例示される通り、通信部１２と制御部１４と記憶部１６と入力部１７と表示部１８と収録部１９とを具備する。
【００１４】
通信部１２は、編集装置２０と他の端末装置１０との各々と通信する通信機器である。制御部１４は、例えばＣＰＵ（Central Processing Unit）等の演算処理回路で構成され、端末装置１０の各要素を統括的に制御する。なお、制御部１４の一部の機能を専用の電子回路で実現した構成、または、制御部１４の機能を複数の装置に分散した構成も採用され得る。制御部１４は、記憶部１６に記憶されたプログラムを実行することで、収録データを生成するための機能を実現する。
【００１５】
記憶部１６は、例えば半導体記録媒体または磁気記録媒体等の公知の記録媒体であり、制御部１４が実行するプログラムおよび制御部１４が利用する各種のデータを記憶する。第１実施形態の記憶部１６は、収録ＩＤと複数のテンプレートとを記憶する。収録ＩＤは、１個のコンテンツを生成するための一連の収録作業を識別するための符号である。複数のテンプレートは、コンテンツのテーマにそれぞれ対応する。例えば、採用向けテンプレートおよび製品紹介用テンプレートが記憶部１６に記憶される。第１端末装置１０Aの記憶部１６と第２端末装置１０Bの記憶部１６との各々に、共通のテンプレートと収録ＩＤとが記憶される。
【００１６】
具体的には、テンプレートは、コンテンツの生成に利用される複数のシーン動画の収録において、雛形となるデータである。第１実施形態のテンプレートは、図３に例示される通り、コンテンツに含まれる複数のシーンの各々にそれぞれ対応する複数のシーンデータを含む。図３では、製品（例えば産業用装置）紹介用テンプレートを例示する。任意の１個のシーンデータは、図３に例示される通り、シーン番号と内容情報と制御情報と画像情報と方法情報とを含む。シーン番号は、コンテンツの時間軸上でのシーンの順番を示す。内容情報は、シーンの内容を示す情報である。例えば「作業に入る前の準備を説明するシーンです。」という文字列（すなわちシーンに関するガイド）を示す内容情報が例示される。制御情報は、シーンについてサブ端末での収録の可否を示す。画像情報は、シーンを象徴するイメージ画像（いわば絵コンテ）を示す。方法情報は、シーンの撮影方法（例えばカメラの向きまたは被写体）を示す。例えば「手元が移るように、横向きで撮影してください。」という文字列（すなわち撮影方法に関するガイド）を示す方法情報が例示される。画像情報と方法情報とは、メイン端末とサブ端末とについて別個の内容を指定できる。なお、シーンデータの内容は、任意である。例えば上述した情報（シーン番号，内容情報，制御情報，画像情報および方法情報）以外の情報をシーンデータに含ませることも可能である。
【００１７】
入力部１７は、利用者Ｕが端末装置１０に対して各種の操作をするための入力機器であり、例えば複数の操作子を含んで構成される。なお、表示部１８と一体に構成されたタッチパネルを入力部１７として採用することも可能である。利用者Ｕは、入力部１７を操作することにより端末装置１０に対する指示を入力することが可能である。
【００１８】
表示部１８は、例えば液晶表示パネルであり、制御部１４から指示された各種画像を表示する。具体的には、表示部１８は、端末選択画像とテンプレート選択画像とテンプレート画像とを表示する。端末選択画像は、図４に例示される通り、利用者Ｕが自身の端末装置１０をメイン端末およびサブ端末の何れかに指定するための画像である。テンプレート選択画像は、図５に例示される通り、記憶部１６に記憶される複数のテンプレートのうちの何れかを、利用者Ｕが選択するための画像である。
【００１９】
図６は、メイン端末の表示部１８が表示するテンプレート画像であり、図７は、サブ端末の表示部１８が表示するテンプレート画像である。テンプレート画像は、図６および図７に例示される通り、選択画像に含まれる複数のテンプレートのうち利用者Ｕが選択したテンプレートに対応した画像であり、各シーン動画の撮影の手順が示される。利用者Ｕは、シーン動画の収録において、表示部１８に表示されるテンプレート画像を参照する。例えば、テンプレート画像に含まれる撮影方法を参照して、端末装置１０の位置を設定する。
【００２０】
制御部１４は、図５のテンプレート選択画像から利用者Ｕにより選択されたテンプレートに含まれる各種情報（例えばシーン番号，内容情報，画像情報および方法情報）から、テンプレート画像を生成して、当該生成したテンプレート画像を表示部１８に表示させる。具体的には、図６および図７に例示される通り、図３のテンプレートのシーン番号と、内容情報が示す内容と、画像情報が示すイメージ画像と、方法情報が示す撮影方法とがシーン毎に示されるテンプレート画像が生成される。なお、メイン端末用のテンプレート画像とサブ端末用のテンプレート画像とをテンプレート毎に記憶部１６に記憶させておき、利用者Ｕが選択したテンプレートに応じたテンプレート画像を表示させることも可能である。
【００２１】
収録部１９は、シーン動画を収録する。具体的には、収録部１９は、シーン動画を収録することで、当該シーン動画を表すデータ（以下「収録データ」という）を生成する機器であり、映像を録画する撮像部と音を録音する収音部とを具備する（何れも図示略）。撮像部は、例えばデジタルカメラやデジタルカムコーダであり、収音部は、例えばマイクロホンである。なお、収録部１９が端末装置１０に搭載された構成を図１では例示したが、端末装置１０とは別体の収録部１９を端末装置１０に有線または無線で接続することも可能である。撮像部による映像の録画と収音部による音の録音とは並列に実行され、映像および音を含むシーン動画を表す収録データが生成される。第１実施形態では、メイン端末は、図３のテンプレートに含まれる全てのシーンについてシーン動画を収録する。それに対して、サブ端末は、テンプレートに含まれる複数のシーンのうち、制御情報が収録を許可するシーンのシーン動画のみを収録する。サブ端末は、例えば、制御情報が収録を許可するシーン４についてメイン端末とは別角度からシーン動画を収録する。なお、メイン端末とサブ端末とでのシーン動画の収録方法については、後述する。
【００２２】
図８は、第１端末装置１０Aと第２端末装置１０Bとの各々がシーン動画を収録する処理のフローチャートである。記憶部１６に記憶されたプログラム（アプリケーションプログラム）を起動する指示が利用者Ｕから付与されることを契機として、第１端末装置１０Aおよび第２端末装置１０Bの各々が図８の処理を開始する。各端末装置１０の制御部１４は、図４の端末選択画像を表示部１８に表示させる（ＳA1，ＳB1）。利用者Ｕは、表示部１８に表示された端末選択画像を利用して、自身の端末装置１０をメイン端末およびサブ端末の何れかに指定するための操作を入力部１７に入力する。第１端末装置１０Aはメイン端末に指定され、第２端末装置１０Bはサブ端末に指定される。各端末装置１０の制御部１４は、図５のテンプレート選択画像を表示部１８に表示させる（ＳA2，ＳB2）。第１端末装置１０Aおよび第２端末装置１０Bの各々の利用者Ｕは、表示部１８に表示されたテンプレート選択画像に含まれる複数のテンプレートのうち、何れかのテンプレートを選択する操作を入力部１７に入力する。なお、第１端末装置１０Aおよび第２端末装置１０Bで共通のテンプレートが選択されるように、利用者Ｕ間で事前に合意する。制御部１４は、利用者Ｕが選択したテンプレートに対応したテンプレート画像を表示部１８に表示させる（ＳA3，ＳB3）。具体的には、各端末装置１０の制御部１４は、記憶部１６に記憶された複数のテンプレートのうち利用者Ｕが選択したテンプレートからテンプレート画像を生成して、当該生成したテンプレート画像を表示させる。メイン端末に指定された第１端末装置１０Aの表示部１８には、図６のメイン端末用のテンプレート画像が表示され、サブ端末に指定された第２端末装置１０Bの表示部１８には、図７のサブ端末用のテンプレート画像が表示される。
【００２３】
各端末装置１０の利用者Ｕは、表示部１８に表示されたテンプレート画像に含まれる複数のシーンのうち、シーン動画を収録するシーンを選択する操作を入力部１７に入力する。なお、第１端末装置１０Aおよび第２端末装置１０Bで共通のシーンが選択されるように、利用者Ｕ間で事前に合意する。各端末装置１０の制御部１４は、シーン動画を収録するシーン（以下「収録シーン」という）を選択する操作を受け付ける（ＳA4，ＳB4）。
【００２４】
第１端末装置１０A（メイン端末）の利用者Ｕは、第１端末装置１０Aにシーン動画の収録を開始させるための操作（以下「収録開始操作」という）を入力部１７に入力する。第１端末装置１０Aの制御部１４は、収録開始操作を受け付ける（ＳA5）。
【００２５】
第１端末装置１０Aの制御部１４は、収録シーンについて、第２端末装置１０B（サブ端末）での収録の可否を判断する（ＳA6）。具体的には、図３のテンプレートに含まれる複数の制御情報のうち、収録シーンに対応する制御情報に応じて、第２端末装置１０Bでの収録の可否を判断する。第１端末装置１０Aの制御部１４は、収録シーンの制御情報がサブ端末での収録の許可を示す場合（ＳA6；YES）、シーン動画の収録の開始を指示する指示情報を生成する（ＳA7）。第１端末装置１０Aの制御部１４は、第２端末装置１０Bに指示情報を送信することを通信部１２に指示する（ＳA8）。つまり、第１端末装置１０Aに対する収録開始操作を契機として、第２端末装置１０Bに指示情報が送信される。第２端末装置１０Bの通信部１２は、第１端末装置１０Aから送信された指示情報を受信する。第２端末装置１０Bの制御部１４は、第１端末装置１０Aから送信された指示情報の受信を契機として、シーン動画の収録を収録部１９に開始（つまり収録データの生成を開始）させる（ＳB9）。他方、指示情報を送信した第１端末装置１０Aの制御部１４は、シーン動画の収録を収録部１９に開始させる（ＳA9）。つまり、第１端末装置１０Aと第２端末装置１０Bとでシーン動画の収録の開始は、ほぼ同時に実行され、各端末装置１０でのシーン動画の収録が並行して実行される。一方、収録シーンの制御情報がサブ端末で収録しないことを示す場合（ＳA6；NO）、第１端末装置１０Aの制御部１４は、指示情報の生成および送信はせずに、収録シーンのシーン動画の収録を収録部１９に開始させる（ＳA9）。
【００２６】
第１端末装置１０Aの利用者Ｕは、以上の手順で開始されたシーン動画の収録を停止させるための操作（以下「収録停止操作」という）を第１端末装置１０Aの入力部１７に入力する。第１端末装置１０Aの制御部１４は、収録停止操作を受け付ける（ＳA10）。第１端末装置１０Aの制御部１４は、収録シーンについて、ステップＳA6と同様に、第２端末装置１０Bでの収録の可否を判断する（ＳA11）。第１端末装置１０Aの制御部１４は、収録シーンの制御情報がサブ端末での収録の許可を示す場合（ＳA11；YES）、シーン動画の収録の停止を指示する指示情報を生成する（ＳA12）。第１端末装置１０Aの制御部１４は、第２端末装置１０Bに指示情報を送信することを通信部１２に指示する（ＳA13）。つまり、第１端末装置１０Aに対する収録停止操作を契機として、第２端末装置１０Bに指示情報が送信される。第２端末装置１０Bの通信部１２は、第１端末装置１０Aから送信された指示情報を受信する。第２端末装置１０Bの制御部１４は、第１端末装置１０Aから送信された指示情報の受信を契機として、シーン動画の収録を収録部１９に停止（つまり収録データを確定）させる（ＳB14）。他方、指示情報を送信した第１端末装置１０Aの制御部１４は、シーン動画の収録を収録部１９に停止させる（ＳA14）。つまり、第１端末装置１０Aと第２端末装置１０Bとでシーン動画の収録の停止は、ほぼ同時に実行される。一方で、第１端末装置１０Aの制御部１４は、収録シーンの制御情報がサブ端末で収録しないことを示す場合（ＳA11；NO）、指示情報の生成および送信はせずに、シーン動画の収録を収録部１９に停止させる（ＳA14）。なお、ステップＳA11における第２端末装置１０Bでの収録の可否を判断する処理は、ステップＳA6での判定結果に応じて行ってもよい。つまり、ステップＳA11では制御情報を参照することは必須ではない。ステップＳA4〜ＳA14およびステップＳB4の処理は、利用者Ｕが選択したテンプレートに含まれる全てのシーンについて実行される。利用者Ｕは、収録したシーン動画を端末装置１０で確認することができる。なお、各シーン動画を収録する順番は任意である。
【００２７】
以上の説明から理解される通り、指示情報は、第２端末装置１０Bにシーン動画の収録を開始または停止させるための情報であり、第２端末装置１０Bは、第１端末装置１０Aから送信された指示情報に応じてシーン動画の収録を開始または停止する。また、第１実施形態の制御部１４は、収録の可否を複数のシーンについてそれぞれ示す複数の制御情報のうち、何れかのシーン（収録シーン）の制御情報に応じて、当該シーンのシーン動画の収録の開始または停止を指示する指示情報を生成する要素として機能する。
【００２８】
制御部１４は、収録部１９が収録した各シーン動画について編集情報を生成する。編集情報は、編集装置２０でコンテンツを生成する際に使用される情報である。例えば収録したシーン動画に表示するテロップを指定（例えばテロップの文字列または表示位置を指定）する編集情報が例示される。具体的には、制御部１４は、編集情報を生成するための操作を利用者Ｕから受け付けることで、シーン毎に編集情報を生成する。例えば、図６のテンプレート画像におけるシーン１のイメージ画像には、空欄のテロップを表す枠の画像が含まれる。利用者Ｕは、当該空欄のテロップに任意の文字列（例えば「装置を利用するための準備をしています。」）を入力するための操作を入力部１７に対して入力することが可能である。制御部１４は、文字列を入力するための操作を受け付けて、テロップに関する編集情報を生成する。各収録データにおける編集情報の生成の有無は任意である。なお、シーンについて予め生成された編集情報をテンプレートに登録しておく構成も可能である。つまり、編集情報の生成において利用者Ｕの操作が不要になる。また、編集情報を生成するための操作のタイミングは、任意である。例えば、利用者Ｕは、全てのシーン動画の収録が完了した後に、または、各シーン動画の収録毎に操作することが可能である。
【００２９】
制御部１４は、収録した収録データと編集情報とを含む送信データを生成する。送信データは、図２に例示される通り、テンプレートに含まれる各シーン番号に、各シーン番号に対応する編集情報と収録データとを応付けたデータテーブルである。送信データには、利用者Ｕが選択したテンプレートを識別するテンプレートＩＤが含まれる。以上の手順で生成された送信データは、記憶部１６に格納される。通信部１２は、記憶部１６に記憶される送信データと収録ＩＤとを編集装置２０に送信する。
【００３０】
図１の編集装置２０は、各端末装置１０から送信された送信データからコンテンツを生成する。例えば通信網３０を介して端末装置１０と通信可能なウェブサーバ等のサーバ装置が編集装置２０として好適に採用され得る。なお、編集装置２０は、単体の装置として実現されるほか、相互に別体で構成された複数の装置の集合でも実現される。具体的には、編集装置２０は、記憶部２１と制御部２３と通信部２５と入力部２７と表示部２９とを具備する。
【００３１】
記憶部２１は、例えば半導体記録媒体または磁気記録媒体等の公知の記録媒体であり、制御部２３が実行するプログラムおよび制御部２３が利用する各種のデータを記憶する。制御部２３は、例えばＣＰＵ（Central Processing Unit）等の演算処理回路で構成され編集装置２０の各要素を統括的に制御する。具体的には、制御部２３は、記憶部２１に記憶されたプログラムを実行することで、コンテンツを生成するための機能を実現する。なお、制御部２３の一部の機能を専用の電子回路で実現した構成、または、制御部２３の機能を複数の装置に分散した構成も採用され得る。
【００３２】
通信部２５は、通信網３０を介して端末装置１０と通信する通信機器である。第１実施形態の通信部２５は、端末装置１０から送信された収録ＩＤと送信データとを受信する。制御部２３は、メイン端末から送信された送信データとサブ端末から送信された送信データとから受信データを生成する。メイン端末とサブ端末とから送信された各収録ＩＤと各送信データのテンプレートＩＤとの双方が一致する場合に受信データが生成される。具体的には、受信データは、図９に例示される通り、メイン端末とサブ端末との各々の収録データおよび編集情報をシーン番号に対応付けたデータである。生成された受信データは、記憶部２１に格納される。
【００３３】
入力部２７は、編集装置２０に対する各種の指示を編集装置２０の編集者Ｄが入力するために操作する入力機器であり、例えば編集者Ｄが操作する複数の操作子を含んで構成される。なお、表示部２９と一体に構成されたタッチパネルを入力部２７として採用することも可能である。編集者Ｄは、入力部２７を操作することにより編集装置２０に対する指示を入力することが可能である。例えば、画像処理のエンジニア等が編集者Ｄとして例示される。
【００３４】
表示部２９は、例えば液晶表示パネルであり、制御部２３から指示された各種画像を表示する。具体的には、表示部２９は、図１０に例示される通り、受信データに対応する編集画像を表示する。具体的には、編集画像は、コンテンツを生成するための作業を行う編集者Ｄに情報を提示するための画像であり、例えばコンテンツを構成するシーン毎に、映像イメージを表す図と、メイン端末とサブ端末とで生成された収録データと編集情報とを示す。編集者Ｄは、編集画像を見ながらコンテンツを生成するための操作を入力部２７に入力する。編集者Ｄは、例えば編集情報に応じて、収録データに含まれるシーン動画に表示するテロップの文字列を指定する操作を入力部２７に入力する。
【００３５】
制御部２３は、編集者Ｄからの操作を受け付けて、コンテンツを生成する。具体的には、複数のシーン動画のそれぞれに対応する複数の動画（以下「編集シーン動画」という）を生成して、当該複数の編集シーン動画をシーン番号順に時間軸上で連結してコンテンツを生成する。編集シーン動画は、例えば編集者Ｄの操作に応じて編集（例えばテロップを入力）することで生成される。図１１は、メイン端末のみで収録をしたシーン動画（例えばシーン１）から生成された編集シーン動画の映像の模式図であり、図１２は、メイン端末とサブ端末の双方で収録をしたシーン動画（シーン４）から生成された編集シーン動画の映像の模式図である。メイン端末で収録したシーン動画とサブ端末で収録したシーン動画とは、図１２に例示される通り、メイン端末で収録されたシーン動画の映像の一部にサブ端末で収録されたシーン動画の映像が表示（ワイプ表示）されるように編集（合成）することで編集シーン動画が生成される。
【００３６】
ここで、第１端末装置１０Aと第２端末装置１０Bとでのシーン動画の収録の開始は、上述の通り、ほぼ同時に実行されるが、例えば指示情報の送信にかかる時間によっては、各端末装置１０による収録開始のタイミングに誤差が生じ得る。したがって、メイン端末の収録データとサブ端末の収録データとを単純に合成して編集シーン動画を生成すると、動画および音響の時間軸上の位置が収録データ間でずれる可能性がある。そこで、メイン端末の収録データとサブ端末の収録データとの時間軸上の位置を相互に合致（すなわち同期）させて、メイン端末の収録データとサブ端末の収録データとを合成する。収録データの合成には、公知の同期処理技術が利用され得る。例えば、シーン４に関するメイン端末の収録データとサブ端末の収録データとには共通の音が含まれ得るので、各収録データにおいて当該共通の音の時間的な位置関係を解析することで、２個の収録データの時間軸上の位置を相互に合致（同期）させる。ただし、各収録データの音の解析による同期処理は必須ではない。なお、生成したコンテンツは、各端末装置１０に送信することも可能である。
【００３７】
以上の説明から理解される通り、第１実施形態では、第１端末装置１０Aから送信された指示情報に応じて、第２端末装置１０Bがシーン動画の収録を開始または停止するので、第２端末装置１０Bに収録の開始または停止させるための操作が不要になる。したがって、複数の端末装置を利用した収録を容易にすることができる。
【００３８】
また、第１実施形態では、テンプレートに含まれる複数の制御情報のうち、何れかのシーン（収録シーン）の制御情報に応じて、当該シーンのシーン動画の収録の開始または停止を指示する指示情報が生成され、当該指示情報が第２端末装置１０Bに送信される。したがって、利用者Ｕが第２端末装置１０B（サブ端末）でのシーン毎の収録の可否を意識することなく、第１端末装置１０Aから受信した指示情報により第２端末装置１０Bでの収録が可能になる。つまり、第２端末装置１０Bによるシーン動画の収録が容易になる。すなわち、複数の端末装置１０を利用したシーン動画の収録を容易にすることができる。
【００３９】
＜第２実施形態＞
本発明の第２実施形態について説明する。なお、以下に例示する各形態において作用や機能が第１実施形態と同様である要素については、第１実施形態の説明で使用した符号を流用して各々の詳細な説明を適宜に省略する。
【００４０】
第１実施形態では、収録シーンの制御情報に応じて指示情報を第１端末装置１０A（メイン端末）が第２端末装置１０B（サブ端末）に送信し、第１端末装置１０Aから送信された指示情報に応じて第２端末装置１０Bがシーン動画の収録を開始または停止する。それに対して、第２実施形態では、第１端末装置１０Aが指示情報を第２端末装置１０Bにシーン毎に送信し、収録シーンの制御情報が収録の許可を示す場合に、第１端末装置１０A（メイン端末）から送信された指示情報に応じて第２端末装置１０B（サブ端末）がシーン動画の収録を開始または停止する。つまり、第２実施形態では、第１端末装置１０Aは、収録シーンに関わらず一律に指示情報を第２端末装置１０Bに送信し、第２端末装置１０Bでの収録の可否は、第２端末装置１０Bで判断される。すなわち、図８のステップＳA６およびステップＳA11の処理は、第２実施形態の第１端末装置１０Aでは実行しない。
【００４１】
第２実施形態の各端末装置１０および編集装置２０の構成は、第１実施形態と同様である。図１３は、第１端末装置１０Aと第２端末装置１０Bとの各々がシーン動画を収録する処理のフローチャートである。各端末装置１０での処理の開始から収録シーンを選択する操作を受け付ける処理（ＳA4，ＳB4）までは、第１実施形態と同様である。第２実施形態においても第１実施形態と同様に、第１端末装置１０Aでメイン端末が指定され、第２端末装置１０Bでサブ端末が指定された場合を想定する。
【００４２】
第１端末装置１０A（メイン端末）の利用者Ｕは、第１実施形態と同様に、第１端末装置１０Aにシーン動画の収録開始操作を入力部１７に入力する。第１端末装置１０Aの制御部１４は、第１実施形態と同様に、収録開始操作を受け付ける（ＳA5）。第１端末装置１０Aの制御部１４は、第１実施形態と同様に、シーン動画の収録の開始を指示する指示情報を生成し（ＳA7）、第２端末装置１０B（サブ端末）に当該指示情報を送信することを通信部１２に指示する（ＳA8）。つまり、第２実施形態でも第１実施形態と同様に、第１端末装置１０Aに対する収録開始操作を契機として、第２端末装置１０Bに指示情報が送信される。第２端末装置１０Bの通信部１２は、第１端末装置１０Aから送信された指示情報を受信する。第２端末装置１０Bの制御部１４は、収録シーンについて、第２端末装置１０Bでの収録の可否を判断する（ＳB6）。具体的には、図３のテンプレートに含まれる複数の制御情報のうち、収録シーンに対応する制御情報に応じて、第２端末装置１０Bでの収録の可否を判断する。第２端末装置１０Bの制御部１４は、収録シーンの制御情報がサブ端末での収録の許可を示す場合（ＳB6；YES）、シーン動画の収録を収録部１９に開始（つまり収録データの生成を開始）させる（ＳB9）。他方、指示情報を送信した第１端末装置１０Aの制御部１４は、シーン動画の収録を収録部１９に開始させる（ＳA9）。つまり、第１実施形態と同様に、第１端末装置１０Aと第２端末装置１０Bとでシーン動画の収録の開始が、ほぼ同時に実行され、各端末装置１０でのシーン動画の収録は並行して実行される。一方、収録シーンの制御情報がサブ端末で収録しないことを示す場合（ＳB6；NO）、第２端末装置１０Bの制御部１４は、シーン動画の収録の開始を収録部１９に指示しない。
【００４３】
第１端末装置１０Aの利用者Ｕは、シーン動画の収録停止操作を第１端末装置１０Aの入力部１７に入力する。第１端末装置１０Aの制御部１４は、収録停止操作を受け付ける（ＳA10）。第１端末装置１０Aの制御部１４は、第１実施形態と同様に、シーン動画の収録の停止を指示する指示情報を生成（ＳA12）し、第２端末装置１０Bに指示情報を送信することを通信部１２に指示する（ＳA13）。つまり、第２実施形態でも第１実施形態と同様に、第１端末装置１０Aに対する収録停止操作を契機として、第２端末装置１０Bに指示情報が送信される。第２端末装置１０Bの通信部１２は、第１端末装置１０Aから送信された指示情報を受信する。第２端末装置１０Bの制御部１４は、収録シーンについて、第２端末装置１０Bでの収録の可否を判断する（ＳB11）。第２端末装置１０Bの制御部１４は、収録シーンの制御情報がサブ端末での収録の許可を示す場合（ＳB11；YES）、シーン動画の収録を収録部１９に停止（つまり収録データを確定）させる（ＳB14）。第１端末装置１０Aの制御部１４は、シーン動画の収録を収録部１９に停止させる（ＳA14）。つまり、第１実施形態と同様に、第１端末装置１０Aと第２端末装置１０Bとでシーン動画の収録の停止は、ほぼ同時に実行される。一方、収録シーンの制御情報がサブ端末で収録しないことを示す場合（ＳB11；NO）、第２端末装置１０Bの制御部１４は、シーン動画の収録の停止を収録部１９に指示しない。なお、ステップＳB11における第２端末装置１０Bでの収録の可否を判断する処理は、ステップＳB6での判定結果に応じて行ってもよい。つまり、ステップＳB11では制御情報を参照することは必須ではない。ステップＳA4〜ＳA14およびステップＳB4の処理は、利用者Ｕが選択したテンプレートに含まれる全てのシーンについて実行される。
【００４４】
以上の説明から理解される通り、第２実施形態における第２端末装置１０Bの制御部１４は、収録の可否を複数のシーンについてそれぞれ示す複数の制御情報のうち、収録を開始または停止すべきシーン（つまり収録シーン）の制御情報が収録の許可を示す場合は、当該指示情報に応じて当該シーンのシーン動画の収録を開始または停止する要素として機能する。
【００４５】
第２実施形態の各端末装置１０の制御部１４は、第１実施形態と同様に、収録した収録データと編集情報とを含む送信データを生成し、当該送信データおよび収録ＩＤを編集装置２０に送信することを通信部１２に指示する。第２実施形態の編集装置２０は、第１実施形態と同様に、各端末装置１０から送信された送信データからコンテンツを生成する。
【００４６】
以上の説明から理解される通り、第２実施形態では、第１実施形態と同様に、第１端末装置１０Aから送信された指示情報に応じて、第２端末装置１０Bがシーン動画の収録を開始または停止するので、第２端末装置１０Bに収録の開始または停止させるための操作が不要になる。したがって、複数の端末装置を利用した収録を容易にすることができる。
【００４７】
また、第２実施形態では、テンプレートに含まれる複数の制御情報のうち、収録を開始または停止すべきシーン（つまり収録シーン）の制御情報が収録の許可を示す場合は、第２端末装置１０Bが指示情報に応じてシーン動画の収録を開始または停止する。したがって、利用者Ｕがシーン毎の第２端末装置１０B（サブ端末）での収録の可否を意識することなく、第２端末装置１０Bでの収録が可能になる。つまり、第２端末装置１０Bによるシーン動画の収録が容易になる。すなわち、複数の端末装置を利用したシーン動画の収録を容易にすることができる。さらには、第１実施形態および第２実施形態の双方において、第１端末装置１０Aに収録を開始または停止させるための操作（収録開始操作または収録停止操作）を契機として、第２端末装置１０Bに指示情報が送信される。したがって、指示情報を送信させるための操作を、収録を開始または停止させるための操作とは別個に付与する必要がない。なお、収録シーンの制御情報に応じて指示情報を第２端末装置１０Bに送信する第１実施形態の構成は、収録シーンに関わらず一律に指示情報を第２端末装置１０Bに送信する第２実施形態の構成と比較して、指示情報の送信に必要な消費電力が少ないという利点がある。
【００４８】
＜第３実施形態＞
第３実施形態の各端末装置１０は、収録条件を示す情報（以下「収録情報」という）に応じてシーン動画を収録する。収録条件は、収録部１９による収録動作の条件である。例えば、スローモーション撮影もしくはタイムラプス撮影等の撮影技法に関する条件、または、露出、ホワイトバランス、もしくは彩度等の色彩に関する条件など各種条件が収録条件として例示される。
【００４９】
図１４は、第３実施形態の各端末装置１０の記憶部１６に記憶されるテンプレートの説明図である。第３実施形態のテンプレートは、第１実施形態と同様に、コンテンツに含まれる複数のシーンの各々に対応するシーンデータを含む。ただし、第３実施形態の任意の１個のシーンデータは、図１４に例示される通り、第１実施形態と同様のシーン番号と内容情報と制御情報と画像情報と方法情報とに加えて、収録情報を含む。第３実施形態の収録情報は、例えば「通常撮影」または「スローモーション撮影」等の撮影技法を示す。なお、メイン端末とサブ端末とについて共通の収録情報を含む場合を例示したが、メイン端末とサブ端末とについて相違する収録情報を含むことも可能である。
【００５０】
図１５は、第１端末装置１０Aと第２端末装置１０Bとの各々がシーン動画を収録する処理のフローチャートである。第１実施形態の処理に、収録条件を変更する処理（ステップＳA15およびステップＳB15）が追加される。第１端末装置１０A（メイン端末）の制御部１４は、指示情報の送信指示の処理（ステップＳA8）の後に、収録部１９の設定を変更する（ＳA15）。具体的には、第１端末装置１０Aの制御部１４は、利用者Ｕが選択したテンプレートに含まれる複数の収録情報のうち、収録を開始または停止すべきシーン（つまり収録シーン）の収録情報に応じて、収録部１９の設定を変更する。制御部１４は、例えば収録シーンの収録情報が収録条件「スローモーション撮影」を示す場合、収録部１９のフレームレートを通常撮影のフレームレート（例えば６０fps）よりも高くする（例えば１２０fpsにする）。また、制御部１４は、例えば収録シーンの収録情報が収録条件「タイムラプス撮影」を示す場合、収録部１９のフレームレートを通常撮影のフレームレート（例えば６０fps）よりも低くする（例えば１fpsにする）。指示情報を受信した第２端末装置１０B（サブ端末）の制御部１４も、収録シーンの収録情報に応じて、第１端末装置１０Aと同様に、収録部１９の設定を変更する（ＳB15）。第１端末装置１０Aおよび第２端末装置１０Bの各々の制御部１４は、収録部１９に収録の開始を指示する（ＳA9，ＳB9）。つまり、第３実施形態の各端末装置１０は、収録条件を複数のシーンについてそれぞれ示す複数の収録情報のうち、収録シーンの収録情報に応じて収録をする。なお、テンプレート画像を表示部１８に表示させる処理（ＳA3，ＳB3）において、利用者Ｕが各シーンの収録条件を把握できるように、図１４のテンプレートの収録情報が示す収録条件を表す文字列を含むテンプレート画像を表示させることも可能である。
【００５１】
第３実施形態においても第１実施形態と同様の効果が実現される。第３実施形態では特に、収録条件を複数のシーンについてそれぞれ示す複数の収録情報のうち、収録を開始または停止すべきシーン（つまり収録シーン）の収録情報に応じて収録がされる。したがって、利用者Ｕがシーン毎の収録条件を設定するための操作をすることなく、収録条件に応じたシーン動画の収録が可能になる。つまり、各端末装置１０において、収録情報が示す収録条件でのシーン動画の収録が容易になる。なお、第３実施形態は、第２実施形態にも適用し得る。
【００５２】
＜変形例＞
以上に例示した各形態は多様に変形され得る。具体的な変形の態様を以下に例示する。以下の例示から任意に選択された２以上の態様を適宜に併合することも可能である。
【００５３】
（１）前述の各形態では、音および映像を含むシーン動画の収録をしたが、端末装置１０が音または映像の何れか一方のみを収録することも可能である。例えば、インタビューされている人物を被写体として収録する場合、第１端末装置１０Aでは、シーンに関する音のみを収録し、第２端末装置１０Bでは、シーンに関する映像のみを収録することも想定され得る。また、コンテンツにおいて音が不要な場合は、各端末装置１０ではシーンに関する映像のみを収録することも想定される。ただし、映像のみを含むコンテンツを生成する場合（つまりコンテンツにおいて音が不要な場合）においても、各端末装置１０の収録データを高精度に同期する観点からは、音も含めて収録する構成が好適である。以上の説明から理解される通り、各端末装置１０で行う収録は、音および映像の双方（つまりシーン動画）の収録、および、音または映像の何れか一方の収録の双方を含み、「シーンに関する収録」として包括的に表現される。また、各端末装置１０で生成される収録データは、音または映像を表わす収録データとして表現され得る。音および映像の双方を表す収録データは、「音または映像を表す収録データ」の概念に当然に包含される。
【００５４】
（２）前述の各形態では、２個の端末装置１０で収録をしたが、３個以上の端末装置１０で収録をすることも可能である。例えば３個の端末装置１０で収録する場合、３個の端末装置１０のうちの何れかがメイン端末として指定され、その他の２個の端末装置１０がサブ端末として指定される。メイン端末（第１端末装置１０A）は、２個のサブ端末（第２端末装置１０B）に対して指示情報を送信する。なお、テンプレートにおいて、２個のサブ端末の制御情報は、個別に指定することも可能である。
【００５５】
（３）前述の各形態では、第１端末装置１０Aで収録をしたが、第１端末装置１０Aでの収録は必須ではない。第１端末装置１０Aは、自身での収録はせずに、第２端末装置１０Bに指示情報を送信するための指示端末として利用することも可能である。例えば３個の端末装置１０を利用して収録をする場合、３個の端末装置１０のうちの何れかが指示端末に指定され、その他の２個の端末装置１０がメイン端末およびサブ端末に指定される構成も可能である。指示端末（第１端末装置１０A）は、メイン端末（第２端末装置１０B）とサブ端末（第２端末装置１０B）との各々に指示情報を送信する。メイン端末とサブ端末とは、指示情報に応じて収録を開始または停止する。つまり、第１端末装置１０Aに収録を開始または停止させるための操作を契機として、第２端末装置１０Bに指示情報を送信する構成は、本発明において必須ではない。
【００５６】
（４）前述の各形態では、第１端末装置１０Aおよび第２端末装置１０Bの双方に対して、テンプレートを選択するための操作を入力部１７に入力したが、何れか一方の端末装置１０に対してのみテンプレートを選択するための操作をすることも可能である。具体的には、一方の端末装置１０（例えば第１端末装置１０A）の利用者Ｕは、表示部１８に表示されたテンプレート選択画像に含まれる複数のテンプレートのうち、何れかのテンプレートを選択する操作を入力部１７に入力する。第１端末装置１０Aは、利用者Ｕが選択したテンプレートを示す情報（以下「選択テンプレート情報」という）を第２端末装置１０Bに対して送信する。第２端末装置１０Bは、第１端末装置１０Aから送信された選択テンプレート情報に応じたテンプレート画像を表示する。第１端末装置１０Aが第２端末装置１０Bに対して選択テンプレート情報を送信する構成によれば、第２端末装置１０Bに対してテンプレートを選択する操作が不要になるという利点がある。
【００５７】
また、シーンを選択するための操作についても、何れか一方の端末装置１０に対してのみシーンを選択するための操作をすることも可能である。具体的には、一方の端末装置１０（例えば第１端末装置１０A）の利用者Ｕは、表示部１８に表示されたテンプレート画像に含まれる複数のシーンのうち、何れかのシーンを選択する操作を入力部１７に入力する。第１端末装置１０Aは、利用者Ｕが選択したシーンを示す情報（以下「選択シーン情報」という）を第２端末装置１０Bに対して送信する。例えば指示情報に含めて選択シーン情報を送信すること、または、選択シーン情報を指示情報とは別個に送信することが可能である。つまり、第１端末装置１０Aが第２端末装置１０Bに送信する情報は、収録の可否を示す指示情報に限定されない。第１端末装置１０Aが第２端末装置１０Bに対して選択シーン情報を送信する構成によれば、第２端末装置１０Bに対してシーンを選択する操作が不要になるという利点がある。以上の説明から理解される通り、第２端末装置１０Bにおいて、テンプレートを選択するための操作とシーンを選択するための操作は必須ではない。なお、第３実施形態においては、第１端末装置１０Aが第２端末装置１０Bに収録シーンの収録情報を送信することも可能である。
【００５８】
（５）前述の各形態では、収録部１９が収録した各シーン動画について編集情報を生成したが、例えば利用者Ｕが選択したテンプレートについて（つまり全シーン動画にわたる）編集情報を生成することも可能である。例えば各シーン動画に共通に使用される背景を指定する編集情報が生成される。
【００５９】
また、前述の各形態では、テロップに関する指定をする編集情報を例示したが、編集情報が指定する内容は以上の例示に限定されない。例えば、シーン動画に対するエフェクト処理を指定する編集情報、シーン動画に使用する企業のロゴマークの画像を指定する編集情報、または、シーン動画で使用する楽曲を指定する編集情報が例示される。以上の説明から理解される通り、編集情報は、編集装置２０でコンテンツを生成する際に使用される情報であれば任意である。
【００６０】
（６）第１実施形態では、利用者Ｕが選択したシーンの収録を実行したが、利用者Ｕによるシーンを選択する操作は必須ではない。例えば、テンプレートに含まれる複数のシーンから、未収録のシーンを制御部１４が指定することも可能である。つまり、第１端末装置１０Aの制御部１４は、複数の制御情報のうち何れかのシーン（例えば利用者Ｕが選択したシーンまたは制御部１４が指定したシーン）の制御情報に応じて指示情報を生成する要素として機能する。
【００６１】
（７）第１実施形態において、第２端末装置１０Bにいてテンプレート画像を表示することは必須ではない。例えば、サブ端末を指定する操作を受け付けた後にテンプレート画像を表示せずに、指示情報を受信することも可能である。つまり、図８のステップＳB2〜ステップＳB4は省略され得る。以上の説明から理解される通り、第２端末装置１０Bにおけるテンプレートの保持は必須ではない。
【００６２】
（８）前述の各形態では、各端末装置１０から編集装置２０に送信データを送信したが、編集装置２０への送信データの送信は必須ではない。例えば、第２端末装置１０Bは第１端末装置１０Aに送信データを送信して、第１端末装置１０Aの送信データと第２端末装置１０Bの送信データとから第１端末装置１０Aがコンテンツを生成することも可能である。つまり、編集装置２０はサーバ装置に限定されない。
【００６３】
（９）前述の各形態では、収録データと編集情報とを含む送信データを編集装置２０に送信したが、編集装置２０に送信するデータは以上の例示に限定されない。例えば、収録データのみを送信すること、または、送信データに加えてテンプレートを送信することも可能である。また、全シーンの収録データと編集情報とを送信データとして編集装置２０に一括で送信したが、収録データおよび編集情報の送信方法は以上の例示に限定されない。例えば全シーンの収録データと編集情報とを個別に送信すること、または、収録データと編集情報とをシーン毎に送信することも可能である。
【００６４】
また、各端末装置１０から編集装置２０に送信データおよび収録ＩＤを個別に送信したが、何れか一方の端末装置１０から各送信データおよび収録ＩＤを送信することも可能である。例えば第２端末装置１０Bは、生成した送信データを第１端末装置１０Aに送信し、第１端末装置１０Aは、自身の送信データと第２端末装置１０Bの送信データと収録ＩＤとを編集装置２０に送信する。以上の構成では、第２端末装置１０Bと編集装置２０との通信ができなくでも、第１端末装置１０Aから第２端末装置１０Bの送信データを編集装置２０に送信することが可能である。また、第２端末装置１０Bで収録したシーン動画を第１端末装置１０Aで確認することができるという利点もある。以上の説明から理解される通り、第１端末装置１０Aと第２端末装置１０Bとがそれぞれ収録した収録データを編集装置２０に送信することが可能であれば、収録データの具体的な送信態様は任意である。
【００６５】
（１０）前述の各形態では、複数のテンプレートは端末装置１０の記憶部１６に記憶されたが、端末装置１０が通信可能なウェブサーバに複数のテンプレートを保持する構成も採用され得る。端末装置１０は、利用者Ｕが選択したテンプレートを指定した情報要求をウェブサーバに送信する。ウェブサーバは、情報要求で指定されたテンプレートを端末装置１０に送信する。端末装置１０は、ウェブサーバから送信されたテンプレートのテンプレート画像を表示部１８に表示させる。以上の構成によれば、端末装置１０にテンプレートを保持する必要がないという利点がある。なお、編集装置２０に複数のテンプレートを保持することも可能である。また、２個の端末装置１０のうちの何れか一方（例えば第１端末装置１０A）にテンプレートを保持させておき、テンプレートを選択する操作を受け付けた第１端末装置１０Aが第２端末装置１０Bにテンプレートを送信することも可能である。
【００６６】
（１１）前述の各形態において、第１端末装置１０Aの収録データと第２端末装置１０Bの収録データとを同期させる処理では、端末装置１０間のサンプリング周波数の誤差を補償して双方の収録データを同期させることも可能である。例えば、第１端末装置１０Aの収録データの音と第２端末装置１０Bの収録データの音との各々のサンプリング周波数を推定することで、第１端末装置１０Aの収録データおよび第２端末装置１０Bの収録データの何れか一方または双方を時間軸上で伸縮する。サンプリング周波数の推定および収録データの伸縮には公知の任意の技術が採用され得る。
【００６７】
（１２）前述の各形態では、編集装置２０は、編集画像に含まれる各種情報（映像イメージを表す図，メイン端末とサブ端末とで生成された収録データおよび編集情報）を編集者Ｄに提示したが、編集者Ｄに提示する情報は以上の例示に限定されない。例えば、編集装置２０にテンプレートに関する情報（例えばテンプレートそのもの、シーン動画の構成またはシーン動画に使用する見出し等）を予め記憶させておき、当該テンプレートに関する情報を含めた編集画像を表示させることも可能である。また、送信された送信データに含まれる収録データの音と映像とのデータを個別に示した表示画像を表示させることも可能である。以上の説明から理解される通り、編集画像に含ませる情報は任意である。
【００６８】
（１３）前述の各形態で例示した端末装置１０は、前述の通り、制御部１４と収録データ生成用のプログラムとの協働で実現され得る。収録データ生成用のプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体や磁気記録媒体等の公知の任意の形式の記録媒体を包含し得る。また、通信網３０を介した配信の形態でプログラムをコンピュータに配信することも可能である。なお、非一過性の記録媒体とは、一過性の伝搬信号（transitory, propagating signal）を除く任意の記録媒体を含み、揮発性の記録媒体を除外するものではない。
【００６９】
（１４）本発明は、前述の各形態に係る端末装置１０の動作方法（収録方法）としても特定され得る。収録方法の動作主体となるコンピュータ（端末装置１０）は、例えば単体のコンピュータまたは複数のコンピュータで構成されるシステムである。具体的には、本発明の第１態様に係る収録方法は、収録の可否を複数のシーンについてそれぞれ示す複数の制御情報のうち、収録を開始または停止すべきシーンの制御情報に応じて、当該シーンに関する収録の開始または停止を指示する指示情報を、第１端末装置１０Aが第２端末装置１０Bに送信し、第１端末装置１０Aから送信された指示情報に応じて、第２端末装置１０Bがシーンに関する収録を開始または停止する。また、本発明の第２態様に係る収録方法は、複数のシーンの何れかに関する収録の開始または停止を指示する指示情報を第１端末装置１０Aが第２端末装置１０Bに送信し、収録の可否を複数のシーンについてそれぞれ示す複数の制御情報のうち、収録を開始または停止すべきシーンの制御情報が収録の許可を示す場合は、第１端末装置１０Aから送信された指示情報に応じて、第２端末装置１０Bがシーンに関する収録を開始または停止する。
【００７０】
（１５）以上に例示した形態から、例えば以下の構成が把握される。
＜態様１＞
本発明の好適な態様（態様１）に係る収録方法は、収録の可否を複数のシーンについてそれぞれ示す複数の制御情報のうち、何れかの前記シーンの制御情報に応じて、当該シーンに関する収録の開始または停止を指示する指示情報を、第１端末装置が第２端末装置に送信し、前記第１端末装置から送信された前記指示情報に応じて、前記第２端末装置が前記シーンに関する収録を開始または停止する。以上の方法では、第１端末装置から送信された指示情報に応じて、第２端末装置がシーンに関する収録を開始または停止するので、第２端末装置にシーンに関する収録の開始または停止させるための操作が不要になる。したがって、複数の端末装置を利用した収録を容易にすることができる。また、収録の可否を複数のシーンについてそれぞれ示す複数の制御情報のうち、何れかのシーンの制御情報に応じて指示情報が第２端末装置に送信されるので、利用者がシーン毎の第２端末装置での収録の可否を意識することなく、第１端末装置から受信した指示情報により第２端末装置での収録が可能になる。したがって、第２端末装置でのシーンに関する収録が容易になる。すなわち、複数の端末装置を利用したシーンに関する収録を容易にすることができる。
【００７１】
＜態様２＞
本発明の好適な態様（態様２）に係る収録方法は、複数のシーンの何れかに関する収録の開始または停止を指示する指示情報を第１端末装置が第２端末装置に送信し、収録の可否を前記複数のシーンについてそれぞれ示す複数の制御情報のうち、収録を開始または停止すべきシーンの制御情報が収録の許可を示す場合は、前記第１端末装置から送信された前記指示情報に応じて、前記第２端末装置が前記シーンに関する収録を開始または停止する。以上の方法では、第１端末装置から送信された指示情報に応じて、第２端末装置がシーンに関する収録を開始または停止するので、第２端末装置にシーンに関する収録の開始または停止させるための操作が不要になる。したがって、複数の端末装置を利用した収録を容易にすることができる。また、収録の可否を複数のシーンについてそれぞれ示す複数の制御情報のうち、収録を開始または停止すべきシーンの制御情報が収録の許可を示す場合は、第２端末装置が指示情報に応じてシーンに関する収録を開始または停止する。したがって、利用者がシーン毎の第２端末装置での収録の可否を意識することなく、第２端末装置での収録が可能になる。つまり、第２端末装置でのシーンに関する収録が容易になる。すなわち、複数の端末装置を利用したシーンに関する収録を容易にすることができる。
【００７２】
＜態様３＞
態様１または態様２の好適例（態様３）に係る収録方法において、前記第１端末装置は、当該第１端末装置に収録を開始または停止させるための操作を契機として、前記第２端末装置に前記指示情報を送信する。以上の方法では、第１端末装置に収録を開始または停止させるための操作を契機として、第１端末装置から第２端末装置に指示情報が送信される。したがって、第１端末装置に指示情報を送信させるための操作を、収録を開始または停止させるための操作とは別個に付与する必要がない。
【００７３】
＜態様４＞
態様３の好適例（態様４）に係る収録方法において、収録条件を複数のシーンについてそれぞれ示す複数の収録情報のうち、収録を開始または停止すべきシーンの収録情報に応じて、前記第１端末装置および前記第２端末装置が収録をする。以上の方法では、収録条件を複数のシーンについてそれぞれ示す複数の収録情報のうち、収録を開始または停止すべきシーンの収録情報に応じて、第１端末装置および第２端末装置が収録をする。したがって、利用者がシーン毎の収録条件を設定するための操作をすることなく、収録条件に応じたシーン動画の収録が可能になる。つまり、収録情報が示す収録条件でのシーン動画の収録が各端末装置において容易になる。
【００７４】
＜態様５＞
態様３または態様４の好適例（態様５）に係る収録方法において、前記第１端末装置と前記第２端末装置とがそれぞれ収録した前記シーンに関する音または映像を表わす収録データをサーバ装置に送信する。以上の方法では、第１端末装置と第２端末装置とがそれぞれ収録したシーンに関する音または映像を表わす収録データがサーバ装置に送信される。
【００７５】
＜態様６＞
本発明の好適な態様（態様６）に係る端末装置は、収録の可否を複数のシーンについてそれぞれ示す複数の制御情報のうち、何れかの前記シーンの制御情報に応じて、当該シーンに関する収録の開始または停止を指示する指示情報を生成する制御部と、前記指示情報に応じて前記シーンに関する収録を開始または停止する他の端末装置に対して、前記制御部が生成した前記指示情報を送信する通信部とを具備する。以上の構成では、指示情報に応じてシーンに関する収録を開始または停止する他の端末装置に対して、収録の可否をシーンについて示す指示情報が送信される。したがって、指示情報を受信した他の端末装置では、シーンに関する収録を開始または停止させるための操作が不要になる。つまり、複数の端末装置を利用した収録を容易にすることができる。また、収録の可否を複数のシーンについてそれぞれ示す複数の制御情報のうち、何れかのシーンの制御情報に応じて指示情報が生成されるので、利用者がシーン毎の収録の可否を意識することなく、他の端末装置での収録が可能になる。したがって、複数の端末装置を利用してシーンに関する収録を容易にすることができる。
【００７６】
＜態様７＞
本発明の好適な態様（態様７）に係る端末装置は、複数のシーンの何れかに関する収録の開始または停止を指示する指示情報を他の端末装置から受信する通信部と、収録の可否を前記複数のシーンについてそれぞれ示す複数の制御情報のうち、収録を開始または停止すべきシーンの制御情報が収録の許可を示す場合は、当該指示情報に応じて前記シーンに関する収録を開始または停止する制御部とを具備する。以上の構成では、複数のシーンの何れかに関する収録の開始または停止を指示する指示情報を他の端末装置から受信して、当該指示情報に応じてシーンに関する収録が開始または停止される。したがって、シーンに関する収録を開始または停止させるための操作が不要になる。つまり、複数の端末装置を利用した収録を容易にすることができる。また、収録の可否を複数のシーンについてそれぞれ示す複数の制御情報のうち、収録を開始または停止すべきシーンの制御情報が収録の許可を示す場合は、受信した指示情報に応じてシーンに関する収録を開始または停止する。したがって、利用者がシーン毎の収録の可否を意識することなく、シーンに関する収録が可能になる。すなわち、複数の端末装置を利用してシーンに関する収録を容易にすることができる。
【符号の説明】
【００７７】
１……収録データ処理システム、１０……端末装置、１２……通信部、１４……制御部、１６……記憶部、１７……入力部、１８……表示部、１９……収録部、２０……編集装置、２１……記憶部、２３……制御部、２５……通信部、２７……入力部、２９……表示部、３０……通信網。
【図１】
2018157407.tif 000003
【図２】
2018157407.tif 000004
【図３】
2018157407.tif 000005
【図４】
2018157407.tif 000006
【図５】
2018157407.tif 000007
【図６】
2018157407.tif 000008
【図７】
2018157407.tif 000009
【図８】
2018157407.tif 000010
【図９】
2018157407.tif 000011
【図１０】
2018157407.tif 000012
【図１１】
2018157407.tif 000013
【図１２】
2018157407.tif 000014
【図１３】
2018157407.tif 000015
【図１４】
2018157407.tif 000016
【図１５】
2018157407.tif 000017